(57)【要約】      （修正有）【課題】ツルが外方向のみならず、上方並びに下方へ撓み変形することが出来るメガネフレームのツル及びツル継手構造を提供する。【解決手段】フロント部１の両側に折畳み出来るように取付けたツル２が、メガネを掛ける際の開いた状態から、さらに外方向へ押し開くことが出来るように機能するツル２において、ツル２の基部側から先端部にかけての応力作用経路を長くした。また、フロント部１のヨロイ７に連結する継手部材６のツル側部材９は、薄い板材で構成して板厚方向に撓み変形し、このツル側部材９に外方向へ撓み変形に優れたツル２を連結・固定した。【選択図】図１
2020056892.tif 000002
【特許請求の範囲】
【請求項１】
フロント部の両側に折畳み出来るように取付けたツルが、メガネを掛ける際の開いた状態から、さらに外方向へ押し開くことが出来るように機能するツルにおいて、該ツルの基部側から先端部にかけての応力作用経路を長くしたことを特徴としたメガネフレームのツル。
【請求項２】
ツルには貫通したスリット溝にて複数のピースが繋がった形態とし、該ピースの側端部にコ形を形成すると共に、該コ形空間に嵌めて隣り合うピースから延びる繋ぎ片を底片に連結した請求項１記載のメガネフレームのツル。
【請求項３】
フロント部の両側に折畳み出来るように取付けたツルが、メガネを掛ける際の開いた状態から外方向へ撓み変形することが出来、また上方並びに下方へ撓み変形することが出来、すなわち、３６０°のあらゆる方向に撓むことが出来るように機能するツル継手構造において、フロント部のヨロイに連結する継手部材のツル側部材は、薄い板材で構成して水平に配置した板厚方向に撓み変形し、このツル側部材に外方向へ撓み変形に優れたツルを連結・固定したことを特徴とするメガネフレームのツル継手構造。
【請求項４】
上記ツル側部材は、その形状を概略Ｚ形とし、外片と内片及び中片を有し、内片の先端にはヨロイ側部材と連結する軸ネジが挿通する軸穴を有し、ツルを外片の先端部に連結・固定した請求項３記載のメガネフレームのツル継手構造。
【発明の詳細な説明】
【技術分野】
【０００１】
本発明はツルが外方向のみならず、上方並びに下方へ撓み変形することが出来るメガネフレームのツル及びツル継手構造に関するものである。
【背景技術】
【０００２】
ツルが開いた状態から、外方向へ僅かに押し開くことが出来るように機能する継手は一般的にバネ蝶番と称され、メガネフレームのツル継手手段として多用されている。図６には最も基本的なバネ蝶番と称される継手構造を示している。すなわち、該バネ蝶番の基本的な考えは、ヨロイ（イ）には固定蝶片（ロ）をロウ付けにて固定し、他方の蝶片を摺動蝶片（ハ）として一定距離の摺動を許すことによって外方向への開きをツル（ニ）に与えることが出来る。
【０００３】
ツル（ニ）にはガイド溝が形成され、摺動蝶片（ハ）はガイド溝を案内として摺動する訳であるが、上記摺動蝶片（ハ）を構成するバネケース（ホ）の内部空間（ヘ）にはコイルバネ（ト）が収まっていて、ツル（ニ）を外方向ヘ押し開く際にはバネケース（ホ）が固定蝶片（ロ）側へ引き寄せられて圧縮される。該コイルバネ（ト）はバネケース（ホ）の内部空間入口に設けられてツル（ニ）の係止溝（チ）に係止したツメ（リ）に当たり、該ツメ（リ）はストッパーとして機能している。その結果、コイルバネ（ト）の復元力がツル（ニ）に作用して、該ツル（ニ）を元の位置に戻そうとする。
【０００４】
ところで、上記バネケース（ホ）にコイルバネ（ト）を内蔵した蝶番構造は同図に示すごとくツル（ニ）に設けているガイドに沿ってスライドすることで機能するが、該スライド機能が損なわれて故障し易く、一旦故障すれば修理し難い等の問題もある。コイルバネ（ト）及び該コイルバネ（ト）の中心穴に挿入した芯金（ヌ）の円錐形頭部を押し込んでツメ（リ）に係止するならば、バネケース（ホ）の内部空間（ヘ）から該ツメ（リ）並びにコイルバネ（ト）及び芯金（ヌ）を取り外すことが出来ない。
【０００５】
ところで、同図に示すバネ蝶番では、内部空間（ヘ）にコイルバネ（ト）を収容しており、コイルバネを圧縮変形させることでバネ力が発生するように構成している。そして、コイルバネ（ト）を伸縮変形させる摺動部材が必要となっており、ゴミの介入やサビの発生でこの摺動部材（ハ）の摺動に支障をきたす場合、ツルの開き操作がスムーズに機能しないことになる。
【０００６】
このように、コイルバネを用いて構成したバネ蝶番はその構造が複雑であると共に故障し易い為に、該コイルバネの代わりに板バネを備えて構成したバネ蝶番も知られている。
例えば、特開平１０−１３３１５３号に係る「メガネフレームのツル継手構造」は、ツルの折り畳み操作がスムーズであり、摺動部がなくて簡単な構造としている。
すなわち、フロントフレームに固定したヨロイにはヨロイ側継手片を、ツルにはツル側継手片それぞれ固定して互いに組み合わせ、ヨロイ側継手片には長穴からなるピン穴を形成した継手部を設けて湾曲面を有し、ツル側継手片には板バネをヨロイ側継手片方向へ延ばして先端部を湾曲面に当接し、ネジピンを介して互いに連結している。
【０００７】
特開２００３−５７６０５号に係る「メガネフレームのツル継手構造」は、メガネフレームのツルが開いた状態から、さらに外方向へ僅かに押し開くことが出来るようにしたバネ蝶番と同じ機能を備えたもので、構造が簡単で製作コストの安いツル継手構造である。そこで、ツルの内側に板バネの基部を固定して先端を自由端とし、先端は湾曲してヨロイに当接してバネ力を付勢している。
【０００８】
【特許文献１】特開平１０−１３３１５３号に係る「メガネフレームのツル継手構造」
【特許文献２】特開２００３−５７６０５号に係る「メガネフレームのツル継手構造」
【発明の開示】
【発明が解決しようとする課題】
【０００９】
このように、コイルバネを備えたスライド式バネ蝶番や板バネを備えたバネ蝶番は知られている。しかし、従来のバネ蝶番を備えたツルは、開いた状態から外方向へ僅かに押し開くことは出来るが、あくまでも水平面内での開閉動作に過ぎない。すなわち、ツルは上下方向に撓み変形することは出来ない。
本発明が解決しようとする課題は、開いた状態のツルが外方向へ押し開くことが出来ると共に、上方及び下方へも撓み変形するように機能するツルの継手構造及びメガネフレームのツルを提供する。
【課題を解決するための手段】
【００１０】
本発明に係るメガネフレームのツル（テンプル）はバネ蝶番としての機能を備えている。
本発明に係るメガネフレームのツルは、折畳まれて閉じることが出来、また開いた状態から外方向へ押し開くことが出来る。さらに、ツルは上方へ撓み変形し、また下方へも撓み変形することが出来るように機能する。すなわち、ツルはあらゆる方向（３６０°）、その向きを変えて撓み変形することが出来る。
【００１１】
ところで、ツルは継手部材を介して取付けられているが、該継手部材はフロント部のヨロイと連結することが出来る一種の蝶番である。ヨロイ側部材とツル側部材は軸を介して連結し、ツル側部材は薄い板材にて構成され、ツルの基部と連結している。ここで、上記ツル側部材の具体的な構造は限定しないが、一般的には概略Ｚ形を成し、内片の先端はヨロイ側部材と軸ネジを介して連結し、ツルの基部は外片先端にロウ付けにて連結・固定されている。
外片先端から内片先端間の長さは大きくなり、すなわち、応力経路長さが拡大して撓み変形量は大きくなる。
【００１２】
そして、ツルは従来からの形態である細長い板状の線材から成り、しかもその曲げ剛性を低くして撓み変形し易いように構成している。例えば、ツルにスリット溝を形成し、一定ピッチで繰り返し形成される模様としての外観を呈し、ツルの装飾効果を備えた形態となっている。ただし、スリット溝の具体的な形態は限定しない。
ツルの実質的な長さはほぼ定まっているが、ツルに働く応力経路長さを長くし、その結果、撓み変形量が拡大するように構成している。
【発明の効果】
【００１３】
本発明のツルはツル自体の曲げ剛性を小さくして撓み変形することが出来るように、スリット溝を形成している。スリット溝の溝幅は小さいが、ツル基部から先端部にかけて一定ピッチで繰り返し形成されることで、ツルの曲げ剛性は低下し、外方向へ大きく撓むことが出来る。すなわち、ツル先端部に働く力に基づく応力の経路長さを長くしていることで、撓み変形量は拡大する。
しかも、従来のバネ蝶番のように、開いた状態から外方向へ撓むのみならず、継手部材を構成するツル側部材は薄い板材にて構成している為に、ツルは上方並びに下方へも撓む変形することが出来る。
【００１４】
上記ツル側部材は概略Ｚ形を成し、上記ツルの基部を外片先端に連結・固定することが出来る。そして、このツル側部材は薄い板材で構成されて板厚方向に撓むことが出来る。その為に、ツル自体は従来のようにスリット溝を形成しない場合であっても、ツル側部材の撓み変形にて、ツルはその向きを四方３６０°に撓むことが可能となる。
したがって、あらゆる方向から作用する負荷を軽減し、掛け心地の良いメガネフレームとなり、長年使ってもフレームの変形やレンズの歪を防止することが可能となる。
ツルはその基部をＺ形継手の先端に連結されるが、該ツルの形態は特に限定されることなく、採用することも出来る。
【図面の簡単な説明】
【００１５】
【図１】本発明に係るツル継手構造を備えたメガネフレームの平面図。
【図２】本発明に係るツル継手構造を備えたメガネフレームの正面図。
【図３】本発明に係るツル継手構造を備えたメガネフレームの側面図。
【図４】ツル継手構造を構成する継手部材のツル側部材の具体例、
【図５】撓み変形に優れたツルの具体的な形態。
【図６】従来のバネ蝶番を示す実施例。
【発明を実施するための形態】
【００１６】
図１、図２、図３は本発明のツルを備えたメガネフレームを示す実施例であり、図１は平面図、図２は正面図を示し、図３は側面図をそれぞれ表している。
同図において、１はフロント部、２はツル（テンプル）、３はリム、４は連結部材、５は鼻当てパット、６は継手部材、７はヨロイをそれぞれ表している。
フロント部１は両リム３，３が連結部材４にて連結され、中央には鼻当てパット５，５が取付けられ、リム３，３にはレンズ８，８が嵌っている。
そして、上記ツル２は継手部材６を介してヨロイ７に連結し、折畳まれる。メガネフレームとしての基本的な形態は従来と共通している。
【００１７】
上記ツル２はヨロイ７に取付けた継手部材６を介して折畳まれるが、本発明の継手部材６は撓み変形することが出来、またツル自体も撓み変形する機能を備えていることで、図１に示す開いた状態から外方向へ押し開くことが可能であり、従来のバネ蝶番と同じように機能する。
さらに、本発明のツル２は外方向に押し開くことが出来るのみならず、上方へ撓み変形し、また下方へも撓み変形することが出来る。
【００１８】
その為に、本発明では上記継手部材６及びツル２が特徴をもって構成している。この継手部材６はヨロイ側部材８とツル側部材９が軸ネジ１０によって連結した構造としており、ヨロイ側部材８とツル側部材９は軸ネジ１０を中心として屈曲することが出来る。
そして該ヨロイ側部材８はフロント部１のヨロイ７の先端にロウ付けされ、ツル側部材９はツル２の基部に連結・固定されている。
【００１９】
図４は上記継手部材６を構成するツル側部材９を単独で表わしている具体例である。該ツル側部材９は薄い金属板を打ち抜いて成形され、その形状は同図に示す如く、概略Ｚ形を成して外片１１、内片１２、及び中片１３を有し、内片１２の先端には上記軸ネジ１０が挿通する軸穴１４が貫通している。また、外片１１の先端には小さいツメ１５を中片１３側に突出して形成している。
そして、上記外片１１と中片１３との間には外側空間１６を有し、内片１２と中片１３との間には内側空間１７を有している。
【００２０】
このツル側部材９は弾力性に優れた金属板を打ち抜いて製作され、その厚さは薄く、例えば１．２ｍｍ程度としていて、その為に内片１２の先端に設けている軸穴１４を基部とした場合、外片１１の先端部は紙面に対して垂直方向に大きく撓むことが出来る。
【００２１】
ツル２の基部はこのツル側部材９の外片１１に連結・固定されることで、ツル２は上方及び下方に撓み変形することが可能となる。
図４に示すツル側部材９の形状はあくまでも１具体例に過ぎず、薄板で構成して板面方向に撓むことが出来る形状であればよいが、同図に示すツル側部材９は概略Ｚ形であることで、軸穴１４から外片１１の先端部までが長くなり、その為に撓み変形量は大きくなる。
【００２２】
図５はツル２を示している具体例である。図３にはフロイント１に取付けられ、先端部には樹脂製のモダン１８が挿着されているが、図５ではこのモダン１８は挿着されていない。
同図に示すツル２は表面から裏面にスリット溝を貫通して設けて構成し、その為に同じ寸法のツルに比較して撓み変形量は大きくなる。
すなわち、ツル２は複数のピース１９ａ，１９ｂ，１９ｃ，１９ｄで構成している。そして、これらピース１９ａ，１９ｂ，１９ｃ，１９ｄは互いに繋がっている。
【００２３】
ピース１９ａはコ形を成し、先端から繋ぎ片２０ａが延び、該繋ぎ片２０ａは隣のピース１９ｂに連結している。しかもピース１９ｂの両側はコ形と成っていて、上記繋ぎ片２０ａはピース１９ｂのコ形の底片２１に繋がっている。そして、ピース１９ｂは次のピース１９ｃと連結しているが、繋ぎ片２０ｂにて繋がれている。
該繋ぎ片２０ｂはピース１９ｂの両側に形成しているコ形部の底片２１から延びる繋ぎ片２０ｂにて連結している。
さらに、ピース１９ｃに形成したコ形部の底片２１から延びる繋ぎ片２０ｃの先端はピース１９ｄと連結している。
【００２４】
ピース１９ａ，１９ｂ，１９ｃ，１９ｄにはスリット溝２２，２２・・・をワイヤーカット等にて加工して設けている。すなわち、スリット溝２２，２２・・・にて各ピース１９ａ，１９ｂ，１９ｃ，１９ｄにコ形部が形成され、コ形部の底片２１，２１・・・に繋ぎ片２０ａ，２０ｂ・・・が連結することで、応力の作用経路は長くなっている。
外観上の同じ長さのツル２に比較して、応力の作用経路が拡大することで、該応力に基づいて変形する撓み変形量は大きくなる。
【００２５】
ところで、該ツル２は継手部材６のツル側部材９に連結・固定される。ツル２のコ形をした基部側ピース１９ａに形成されている嵌入溝２３に外片１１が嵌り、外片１１の先端に形成したツメ１５はピース１９ａの底片２４に係止される。そして、ツメ１５は底片２４にロウ付けにて固定され、ツル側部材９に連結される。
図１から明らかなように、ヨロイ側部材８はヨロイ７にロウ付け固定され、その為に、ツル２は継手部材６を介してヨロイ７に連結している。
【００２６】
ツル２の曲げ剛性は低く、その為に大きく撓み変形することが出来る。ツル２の基部となるツル側部材９を基点としてツル先端部のモダン１８に働く力に対して、ツル２は大きく撓み変形することが出来る。すなわち、ツル２を図５に示す形態とすることで応力の作用経路は長くなり、外観上の同じ長さのツルに比較して撓み変形量は大きくなる。
【００２７】
ところで、本発明のツル２は３６０°のあらゆる方向に撓み変形することが出来る。
すなわち、ツル２には開いた状態から外方向へ大きく撓み変形することが可能となり、またツル側部材９は薄い板材から構成していることで、該ツル２は上方へ撓み変形可能であり、また下方へ撓み変形することが出来る。
したがって、従来のバネ蝶番としての機能は勿論であるが、あらゆる方向から作用する負荷を軽減し、掛け心地の良いメガネフレームとなり、長年使ってもフレームの変形やレンズの歪を防止することが可能となる。
【符号の説明】
【００２８】
１   フロント部
２   ツル
３   リム
４   連結部材
５   鼻当てパット
６   継手部材
７   ヨロイ
８   ヨロイ側部材
９   ツル側部材
10   軸ネジ
11   外片
12   内片
13   中片
14   軸穴
15   ツメ
16   外側空間
17   内側空間
18   モダン
19   ピース
20   繋ぎ片
21   底片
22   スリット溝
23   嵌入溝
24   底片
【図１】
2020056892.tif 000003
【図２】
2020056892.tif 000004
【図３】
2020056892.tif 000005
【図４】
2020056892.tif 000006
【図５】
2020056892.tif 000007
【図６】
2020056892.tif 000008